(57)【特許請求の範囲】
【請求項１】
基部（２）と可動部（３）とを有し、
前記基部（２）は基端（ＰＥ）側に、基端連結部（７ＰＥ）を形成し、当該基端連結部（７ＰＥ）は、第一基端開口（ＰＥＯ１）を形成し、
前記基部（２）は末端（ＤＥ）側に、末端連結部（７ＤＥ）を形成し、当該末端連結部（７ＤＥ）は、第一末端開口（ＤＥＯ１）を形成し、
前記基端連結部（７ＰＥ）の上部（Ｕ）側に前記可動部（３）を形成し、
前記末端連結部（７ＤＥ）の上部（Ｕ）側に基部側係合部（９）を形成し、当該基部側係合部（９）は、基部側係合補助部（９Ｈ）を有し
前記基部（２）は、上部（Ｕ）側に基部側チューブ押圧部（２．１）を形成し、当該基部側チューブ押圧部（２．１）は、上部（Ｕ）側に基部側チューブ押圧部突部（２．１Ｔ）を形成し、
前記基部（２）は、チューブ保持部（５）を有し、
前記可動部（３）は、末端（ＤＥ）側に可動部側係合部（８）を形成し、当該可動部側係合部（８）は一対のガイド部［８Ｇ（８Ｓ１Ｇ、８Ｓ２Ｇ）］を有し、
前記可動部（３）は、下部（Ｄ）側に可動部側チューブ押圧部（６）を形成し、
当該可動部側チューブ押圧部（６）は、下部（Ｄ）側に可動部側チューブ押圧部突部（６Ｔ）を形成し、
前記チューブ保持部（５）は、第１側部（Ｓ１）側に第１側壁（５Ｓ１Ｗ）、第２側部（Ｓ２）側に第２側壁（５Ｓ２Ｗ）、末端（ＤＥ）側から上部（Ｕ）側に亘って末端側壁（５ＤＥＷ）、基端（ＰＥ）側から上部（Ｕ）側に亘って基端側壁（５ＰＥＷ）を有し、
当該第１側壁（５Ｓ１Ｗ）、第２側壁（５Ｓ２Ｗ）、当該末端側壁（５ＤＥＷ）及び当該基端側壁（５ＰＥＷ）により、チューブ保持空間（ＳＰ）を形成し、
前記チューブ保持部（５）は、上部開口（ＵＯ）を形成し、
前記基端側壁（５ＰＥＷ）は、第二基端開口（ＰＥＯ２）を形成し、
前記末端側壁（５ＤＥＷ）は、第二末端開口（ＤＥＯ２）を形成し、
チューブ（Ｔ）は、前記第一末端開口（ＤＥＯ１）、前記第二末端開口（ＤＥＯ２）、
チューブ保持空間（ＳＰ）、第二基端開口（ＰＥＯ２）及び前記第一基端開口（ＰＥＯ１）に挿入され、
前記チューブ（Ｔ）は、前記チューブ保持空間（ＳＰ）内で、前記可動部側チューブ押圧部突部（６Ｔ）と前記基部側チューブ押圧部突部（２．１Ｔ）との間で押圧され、これにより当該チューブ（Ｔ）の流路は閉塞される、
ことを特徴とするクランプ（１、１´）。
【請求項２】
前記末端側壁（５ＤＥＷ）は、末端（ＤＥ）側から上部（Ｕ）側に亘って、前記第１側壁（５Ｓ１Ｗ）と前記第２側壁（５Ｓ２Ｗ）に繋げて形成し、
前記基端側壁（５ＰＥＷ）は、基端（ＰＥ）側から上部（Ｕ）側に亘って、前記第１側壁（５Ｓ１Ｗ）と前記第２側壁（５Ｓ２Ｗ）に繋げて形成した、
ことを特徴とする請求項１に記載のクランプ（１、１´）。
【請求項３】
前記可動部（３）は、末端（ＤＥ）側に、可動部側係合部（８）を形成し、当該可動部側係合部（８）は、一対のガイド部（８Ｇ）を有し、
当該ガイド部（８Ｇ）は、第１側部（Ｓ１）側に第１側部側ガイド部（８Ｓ１Ｇ）を形成し、第２側部（Ｓ２）側に第２側部側ガイド部（８Ｓ２Ｇ）を形成した、
ことを特徴とする請求項１または請求項２に記載のクランプ（１、１´）。
【請求項４】
前記可動部側係合部（８）は可動部側係合補助部（８Ｈ、８Ｈ´）を有し、前記基部側係合部（９）は基部側係合補助部（９Ｈ、９Ｈ´）を有し、前記可動部側係合補助部（８Ｈ、８Ｈ´）と前記基部側係合補助部（９Ｈ、９Ｈ´）とは、相互に係合できる形状を有する、
ことを特徴とする請求項１から請求項３のいずれか１項に記載のクランプ（１、１´）。
【請求項５】
前記可動部側係合補助部（８Ｈ）は凹状に形成し、前記基部側係合補助部（９Ｈ）は凸状に形成するかまたは、
前記可動部側係合補助部（８Ｈ´）は凸状に形成し、前記基部側係合補助部（９Ｈ´）は凹状に形成した、
ことを特徴とする請求項４に記載のクランプ（１、１´）。
【請求項６】
前記可動部側係合部（８）は、前記第１側部側ガイド部（８Ｓ１Ｇ）と前記第２側部側ガイド部（８Ｓ２Ｇ）との間であって、かつ上部（Ｕ）側に可動部側係合壁［（８Ｗ、８Ｗ´）］を有し、
前記基部側係合部（９）は、前記基部側係合補助部（９Ｈ）近傍の末端（ＤＥ）側に基部側係合壁（９Ｗ）を有するかまたは、前記基部側係合補助部（９Ｈ´）近傍の基端（ＰＥ）側に基部側係合壁（９Ｗ´）を有する、
ことを特徴とする請求項３に記載のクランプ（１、１´）。
【請求項７】
前記第１側壁（５Ｓ１Ｗ）は、すくなくとも一つ以上の第１側壁開口（５Ｓ１ＷＯ）を有し、前記第２側壁（５Ｓ２Ｗ）は、すくなくとも一つ以上の第２側壁開口（５Ｓ２ＷＯ）を有する、
ことを特徴とする請求項１または請求項２に記載のクランプ（１、１´）。
【請求項８】
下部（Ｄ）から上部（Ｕ）方向にみて、前記第１側壁開口（５Ｓ１ＷＯ）のうち第１側壁第１開口（５Ｓ１ＷＯ１）は、前記基部側チューブ押圧部突部（２．１Ｔ）を形成した位置と実質的に同じ高さの位置に形成した、
ことを特徴とする請求項７に記載のクランプ（１、１´）。
【請求項９】
前記可動部側係合補助部（８Ｈ´）は凸状に形成し、前記基部側係合補助部（９Ｈ´）は凹状に形成し、
基部側係合補助部（９Ｈ´）の幅（９ｗｔ）：１００に対して、
可動部係合補助部（８Ｈ´）の幅（８ｗｔ）：７０〜１００未満、かつ
基部側係合補助部（９Ｈ´）の深さ（９ｄｐｔ）：１００に対して、
可動部係合補助部（８Ｈ´）の高さ（８ｈｔ）：７０〜１００未満に形成した、
ことを特徴とする請求項５に記載のクランプ（１´）。
【請求項１０】
前記可動部側係合補助部（８Ｈ´）は凸状に形成し、前記基部側係合補助部（９Ｈ´）は凹状に形成し、
基部側係合補助部（９Ｈ´）の幅（９ｗｔ）：１００に対して、
可動部係合補助部（８Ｈ´）の幅（８ｗｔ）：７０〜１００未満、かつ
基部側係合補助部（９Ｈ´）の深さ（９ｄｐｔ）：１００に対して、
可動部係合補助部（８Ｈ´）の高さ（８ｈｔ）：３０〜５０に形成した、
ことを特徴とする請求項５に記載のクランプ（１´）。
【請求項１１】
チューブ（Ｔ）と、請求項１から請求項１０のいずれか１項に記載のクランプ（１、１´）とを有し、前記チューブ（Ｔ）の途中に、前記クランプ（１、１´）を装着した、
ことを特徴とする医療用具。
【発明の詳細な説明】
【技術分野】
【０００１】
本発明は、クランプの改良に関し、クランプに挿通したチューブの流路を閉塞する際に、チューブのガタツキがなく確実に閉塞でき、さらにチューブの流路の閉塞状態を長時間、維持継続できるクランプの改良に関する。
本発明のクランプは、例えば、血液チューブを有する体液循環回路（例えば血液透析用回路、血液浄化用回路等）、血液バッグを有する血液採取器具（血液保存器具）、輸液（薬液）バッグを有する医薬品関連器具（例えば、高カロリー輸液容器、薬液容器）、輸液・輸血セット等の各種医療用具の構成部品であるチューブの途中に装着して、好適に使用することができる。
【背景技術】
【０００２】
特許文献１と特許文献２は、医療用可撓管（チューブ）締付け装置（クランプ）の発明が記載されている。
特許文献１と特許文献２に記載のクランプは、クランプの両側（第１側部方向と第２側部方向）に、それぞれ板状の側壁を形成している。
当該板状の側壁により、上部側と下部側の一対の押圧部により、チューブの流路を閉塞する際に、チューブの両側（第１側部方向と第２側部方向）の動き（いわゆるガタツキ）を阻止し、チューブの流路を確実に閉塞できるようにしている。
【０００３】
特許文献１、特許文献２に記載の発明のように、（上部側と下部側の）押圧部の両側に側壁を形成した形態では、側壁を上部側と下部側の両方の押圧部に連結する構造にすると、（上部側と下部側の）側壁同士が衝突して、チューブの流路を閉塞できない。
このため上部側または下部側の押圧部のどちらか一方に、側壁を連結する構造とせざるを得ない。特許文献２の図１等では、下部側にのみ側壁を形成している様子が記載されている。
このように上部側または下部側の押圧部のどちらか一方に側壁を形成する構造は、側壁の安定が悪くなる。例えば、外部から強い衝撃等を受けると、側壁が変形しチューブの両側（第１側部方向と第２側部方向）の動き（いわゆるガタツキ）を阻止できず、チューブの流路を確実に閉塞できない。
【０００４】
さらに特許文献１のようにクランプの両側（第１側部方向と第２側部方向）に、それぞれ板状の側壁を形成する構造について、特許文献２は、以下の課題があると指摘している。
すなわち「（上部側と下部側の）押圧部で、チューブを押圧する際に、チューブの幅方向の寸法が増大するので、チューブが側壁の内面に極めて近接した位置または当接した位置にある場合、チューブの流体の流路の遮断が不十分になる虞がある。
このためチューブが側壁に近接した位置にならないように、注意深く作業を行う必要がある。チューブの材質や大きさによっては、チューブのクランプを無理やり行うことも可能ではあるが、通常より大きな力で所定の位置まで移動させる必要があり、作業性が悪化してしまう。」（特許文献２：段落［０００６］から［０００７］、図１１から図１３参照。）
【０００５】
このため特許文献２は、特許文献１のように、チューブが側壁の内面に極めて近接した位置または当接した位置にならないように、チューブの離間手段として、「クランプに挿通されたチューブを側壁から離間した位置に位置決めすべく、側壁から内側に突出するとともに、側壁の内面における（上部側または下部側の）押圧部の移動軌跡から外れた位置であって、上部側または下部側の押圧部と隣接した位置から凸状に形成された突出部」を形成している。
【先行技術文献】
【特許文献】
【０００６】
【特許文献１】特公平７−５７２４３号公報（特許請求の範囲、図１〜図３）
【特許文献２】特許第４１３７７２７号公報（特許請求の範囲、図１〜図１３）
【発明の概要】
【発明が解決しようとする課題】
【０００７】
以上のように、特許文献１、２の発明は、それぞれクランプの両側（第１側部方向と第２側部方向）に、それぞれ板状の壁を形成しているのみである。
このためクランプの（上部側と下部側の）押圧部でチューブの流路を閉塞する際に、チューブが上部側と下部側で動く（ガタツク）ことがあり、依然としてチューブを閉塞しにくいという操作・使用上の難点を有する。
【課題を解決するための手段】
【０００８】
そこで本発明者は、以上の課題を解決するために鋭意検討を重ねた結果、次の発明に到達した。
［１］本発明は、基部２と可動部３とを有し、
前記基部２は基端ＰＥ側に、基端連結部７ＰＥを形成し、当該基端連結部７ＰＥは、第一基端開口ＰＥＯ１を形成し、
前記基部２は末端ＤＥ側に、末端連結部７ＤＥを形成し、当該末端連結部７ＤＥは、第一末端開口ＤＥＯ１を形成し、
前記基端連結部７ＰＥの上部Ｕ側に前記可動部３を形成し、
前記末端連結部７ＤＥの上部Ｕ側に基部側係合部９を形成し、当該基部側係合部９は、基部側係合補助部９Ｈを有し
前記基部２は、上部Ｕ側に基部側チューブ押圧部２．１を形成し、当該基部側チューブ押圧部２．１は、上部Ｕ側に基部側チューブ押圧部突部２．１Ｔを形成し、
前記基部２は、チューブ保持部５を有し、
前記可動部３は、末端ＤＥ側に可動部側係合部８を形成し、当該可動部側係合部８は一対のガイド部８Ｇ（８Ｓ１Ｇ、８Ｓ２Ｇ）を有し、
前記可動部３は、下部Ｄ側に可動部側チューブ押圧部６を形成し、
当該可動部側チューブ押圧部６は、下部Ｄ側に可動部側チューブ押圧部突部６Ｔを形成し、
前記チューブ保持部５は、第１側部Ｓ１側に第１側壁５Ｓ１Ｗ、第２側部Ｓ２側に第２側壁５Ｓ２Ｗ、末端ＤＥ側から上部Ｕ側に亘って末端側壁５ＤＥＷ、基端ＰＥ側から上部Ｕ側に亘って基端側壁５ＰＥＷを有し、
当該第１側壁５Ｓ１Ｗ、第２側壁５Ｓ２Ｗ、当該末端側壁５ＤＥＷ及び当該基端側壁５ＰＥＷにより、チューブ保持空間ＳＰを形成し、
前記チューブ保持部５は、上部開口ＵＯを形成し、
前記基端側壁５ＰＥＷは、第二基端開口ＰＥＯ２を形成し、
前記末端側壁５ＤＥＷは、第二末端開口ＤＥＯ２を形成し、
チューブＴは、前記第一末端開口ＤＥＯ１、前記第二末端開口ＤＥＯ２、
チューブ保持空間ＳＰ、第二基端開口ＰＥＯ２及び前記第一基端開口ＰＥＯ１に挿入され、
前記チューブＴは、前記チューブ保持空間ＳＰ内で、前記可動部側チューブ押圧部突部６Ｔと前記基部側チューブ押圧部突部２．１Ｔとの間で押圧され、これにより当該チューブＴの流路は閉塞される、
クランプ（１、１´）を提供する。
【０００９】
［２］本発明は、前記末端側壁５ＤＥＷは、末端ＤＥ側から上部Ｕ側に亘って、前記第１側壁５Ｓ１Ｗと前記第２側壁５Ｓ２Ｗに繋げて形成し、
前記基端側壁５ＰＥＷは、基端ＰＥ側から上部Ｕ側に亘って、前記第１側壁５Ｓ１Ｗと前記第２側壁５Ｓ２Ｗに繋げて形成した、
前記［１］に記載のクランプ（１、１´）を提供する。
［３］本発明は、前記可動部３は、末端ＤＥ側に、可動部側係合部８を形成し、当該可動部側係合部８は、一対のガイド部８Ｇを有し、
当該ガイド部８Ｇは、第１側部Ｓ１側に第１側部側ガイド部８Ｓ１Ｇを形成し、第２側部Ｓ２側に第２側部側ガイド部８Ｓ２Ｇを形成した、
前記［１］または前記［２］に記載のクランプ（１、１´）を提供する。
［４］本発明は、前記可動部側係合部８は可動部側係合補助部（８Ｈ、８Ｈ´）を有し、
前記基部側係合部９は基部側係合補助部（９Ｈ、９Ｈ´）を有し、前記可動部側係合補助部（８Ｈ、８Ｈ´）と前記基部側係合補助部（９Ｈ、９Ｈ´）とは、相互に係合できる形状を有する、
前記［１］から前記［３］のいずれか１つに記載のクランプ（１、１´）を提供する。
【００１０】
［５］本発明は、前記可動部側係合補助部８Ｈは凹状に形成し、前記基部側係合補助部９Ｈは凸状に形成するかまたは、
前記可動部側係合補助部８Ｈ´は凸状に形成し、前記基部側係合補助部９Ｈ´は凹状に形成した、
前記［４］に記載のクランプ（１、１´）を提供する。
［６］本発明は、前記可動部側係合部８は、前記第１側部側ガイド部８Ｓ１Ｇと前記第２側部側ガイド部８Ｓ２Ｇとの間であって、かつ上部Ｕ側に可動部側係合壁（８Ｗ、８Ｗ´）を有し、
前記基部側係合部９は、前記基部側係合補助部９Ｈ近傍の末端ＤＥ側に基部側係合壁９Ｗを有するかまたは、前記基部側係合補助部９Ｈ´近傍の基端ＰＥ側に基部側係合壁９Ｗ´を有する、
前記［３］に記載のクランプ（１、１´）を提供する。
［７］本発明は、前記第１側壁５Ｓ１Ｗは、すくなくとも一つ以上の第１側壁開口５Ｓ１ＷＯを有し、前記第２側壁５Ｓ２Ｗは、すくなくとも一つ以上の第２側壁開口５Ｓ２ＷＯを有する、
前記［１］または前記［２］に記載のクランプ（１、１´）を提供する。
［８］本発明は、下部Ｄから上部Ｕ方向にみて、前記第１側壁開口５Ｓ１ＷＯのうち第１側壁第１開口５Ｓ１ＷＯ１は、前記基部側チューブ押圧部突部２．１Ｔを形成した位置と実質的に同じ高さの位置に形成した、
前記［７］に記載のクランプ（１、１´）を提供する。
［９］本発明は、前記可動部側係合補助部８Ｈ´は凸状に形成し、前記基部側係合補助部９Ｈ´は凹状に形成し、
基部側係合補助部９Ｈ´の幅９ｗｔ：１００に対して、
可動部係合補助部８Ｈ´の幅８ｗｔ：７０〜１００未満、かつ
基部側係合補助部９Ｈ´の深さ９ｄｐｔ：１００に対して、
可動部係合補助部８Ｈ´の高さ８ｈｔ：７０〜１００未満に形成した、
前記［５］に記載のクランプ１´を提供する。
［１０］本発明は、前記可動部側係合補助部８Ｈ´は凸状に形成し、前記基部側係合補助部９Ｈ´は凹状に形成し、
基部側係合補助部９Ｈ´の幅９ｗｔ：１００に対して、
可動部係合補助部８Ｈ´の幅８ｗｔ：７０〜１００未満、かつ
基部側係合補助部９Ｈ´の深さ９ｄｐｔ：１００に対して、
可動部係合補助部８Ｈ´の高さ８ｈｔ：３０〜５０に形成した、
前記［５］に記載のクランプ１´を提供する。
［１１］本発明は、チューブＴと、前記［１］から前記［１０］のいずれか１項に記載のクランプ（１、１´）とを有し、前記チューブＴの途中に、前記クランプ（１、１´）を装着した、
医療用具を提供する。
【発明の効果】
【００１１】
本発明のクランプ１、１´は、
〈１〉：チューブＴは、第１側壁５Ｓ１Ｗと第２側壁５Ｓ２Ｗに加えて、末端側壁５ＤＥＷ及び基端側壁５ＰＥＷにより、さらにいえば、上部Ｕ側から末端ＤＥ側からに亘って、かつ上部Ｕ側から基端ＰＥ側からに亘って、チューブＴを保持することができる。
〈２〉：〈１〉により、チューブＴは可動部側チューブ押圧部突部６Ｔと押圧部２．１の突部２．１より押圧する際に、チューブ保持部５外の末端ＤＥ側と基端ＰＥ側で、上下に動く（ガタツク）ことがなく、操作を安定して行うことができる。
〈３〉：〈２〉により、可動部側チューブ押圧部突部６Ｔと基部側チューブ押圧部突部２．１Ｔで、チューブＴの流路を閉塞する際にチューブＴの逃げ場がなくなる。
〈４〉：さらに可動部側係合部８と基部側係合部９が係合することにより、チューブＴは、可動部側チューブ押圧部突部６Ｔと基部側チューブ押圧部突部２．１Ｔの押圧より解放されることはない。
【００１２】
〈５〉：〈４〉によりチューブＴの流路を確実に閉塞することができる。
〈６〉：〈１〉から〈５〉によりチューブＴの流路の閉塞を長時間、安定して継続することができる。
〈７〉：第１側壁開口５Ｓ１ＷＯ（第２側壁開口５Ｓ２ＷＯ）のうち第１側壁第１開口５Ｓ１ＷＯ１（第２側壁第１開口５Ｓ２ＷＯ１）は、基部側チューブ押圧部突部２．１Ｔを形成した位置と実質的に同じ高さの位置に形成することにより、チューブＴは、上部Ｕ側から可動部側チューブ押圧部突部６Ｔ、下部Ｄ側から基部側チューブ押圧部突部２．１Ｔによって押圧し、流路を閉塞する際に、チューブＴの第１側部Ｓ１側と第２側部Ｓ２側の壁面は、チューブ保持空間ＳＰから第１側壁第１開口５Ｓ１ＷＯ１と第２側壁第１開口５Ｓ２ＷＯ１方向へ広がることができる。すなわちチューブＴは、第１側壁５Ｓ１Ｗと第２側壁５Ｓ２Ｗに接触して、第１側壁５Ｓ１Ｗと第２側壁５Ｓ２Ｗにより、第１側部Ｓ１方向と第２側部Ｓ２方向に広がるのを阻害されることなく確実に流路を閉塞することができる。
〈８〉：第１側壁開口５Ｓ１ＷＯ（第２側壁開口５Ｓ２ＷＯ）により、チューブ保持部５の外からチューブＴの流路の閉塞状態、チューブＴ内の流体（血液、薬液等）の流れを確認（視認）することができる。
本発明のクランプ１´は、可動部側係合補助部８Ｈ´（凸状）と基部側係合補助部９Ｈ´（凹状）の「大きさ」のコンビネーションにより、
〈９〉：いわゆる「閉塞感を有する」クランプを所望するユーザー（後述する「ユーザ１」）と、当該閉塞感及びいわゆる「開放感」の両方を所望するユーザー（後述する「ユーザ２」）の期待に応えることができる。
という有利な作用効果を奏することができる。
【図面の簡単な説明】
【００１３】
【図１】図１は、本発明の第一実施例（以下、図２から図７も同じ）のクランプを末端ＤＥ方向、かつ上部Ｕ方向から見た斜視図である。
【図２】図２は、本発明のクランプを基端ＰＥ方向、かつ上部Ｕ方向から見た斜視図である。
【図３】図３は、本発明のクランプを末端ＤＥ方向、かつ下部Ｄ方向から見た斜視図である。
【図４】図４は、本発明のクランプを、それぞれ、第１側部Ｓ１方向［図４（Ａ）参照］、上部Ｕ方向［図４（Ｂ）参照］、末端ＤＥ方向［図４（Ｃ）参照］、基端ＰＥ方向［図４（Ｄ）参照］から見た図である。
【図５】図５は、本発明のクランプが第一の状態（チューブに装着し、チューブの流路を遮断する前の状態）を示す上部Ｕ方向かつ、第１側部Ｓ１方向から見た概略図である。
【図６】図６は、本発明のクランプが第二の状態（チューブに装着し、チューブの流路を遮断した状態）を示す上部Ｕ方向かつ、第１側部Ｓ１方向から見た概略図である。
【図７】図７は、図６のＡ−Ａ´断面図である。
【図８】図８は、本発明の第二実施例（以下、図９も同じ）のクランプを基端ＰＥ方向、かつ第１側部Ｓ１方向から見た斜視図である。
【図９】図９は、図８を第１側部Ｓ１方向から見た正面図である。
【図１０】図１０は、本発明の第二実施例のクランプの可動部側係合補助部８Ｈ´（凸状）と基部側係合補助部９Ｈ´（凹状）の一部拡大図である。
【発明を実施するための最良の形態】
【００１４】
本発明のクランプ（１、１´）の理解を容易にするため、以下の定義をおく。
本発明の請求項、発明の説明に付した符号は、本発明のクランプ（１、１´）の理解を容易にするために記載したものであり、符号そのものが発明を特定するものではない。
本発明のクランプ（１、１´）は、長手Ｌ方向と、当該長手Ｌ方向に略垂直に交差する側部Ｓ方向（「長手」に対して「短い」方向を意味する）を有する。
本発明で、「末端ＤＥ（側または方向）」とは、長手Ｌ方向の一方向を示し、図１から図６に示すように、可動部側係合部８と基部側係合部９が係合する側の端部、すなわち末端連結部７ＤＥ側の端部を意味する。
【００１５】
本発明で、「基端ＰＥ（側または方向）」とは、長手Ｌ方向の一方向を示し、図１から図７に示すように、「末端ＤＥ（側または方向）」とは反対側の端部、すなわち基端連結部７ＰＥ側の端部を意味する。
本発明で、「水平軸線ＨＬ（方向）」とは、図１から図３に示すように、例えば基部２の長手Ｌ方向に延びる方向（図の破線参照）を意味する。
本発明で、「垂直軸線ＶＬ（方向）」とは、図１から図３に示すように、例えば水平軸線ＨＬの長手Ｌ方向と、上下に略垂直に交差して上下方向に延びる方向（図の破線参照）を意味する。
【００１６】
本発明で、「第１側部Ｓ１（側または方向）」とは、側部Ｓ方向の一方向を示し、図１、図３に示すように、末端ＤＥ方向から見て、クランプ１の右側端部の方向（図の破線矢印参照）を意味する。図２に示すように、基端ＰＥ方向から見て、クランプ１の左側端部の方向（図の破線矢印参照）を意味する。
本発明で、「第２側部Ｓ２（側または方向）」とは、側部Ｓ方向の一方向を示し、図１、図３に示すように、末端ＤＥ方向から見て、クランプ１の左側端部の方向（図の破線矢印参照）を意味する。図２に示すように、基端ＰＥ方向から見て、クランプ１の右側端部の方向（図の破線矢印参照）を意味する。
【００１７】
本発明で、「上部Ｕ（側または方向）」とは、側部Ｓ方向の一方向を示し、図１から図３に示すように、例えば水平軸線ＨＬの長手Ｌ方向と略垂直に交差して上方向に延びる方向（図の破線参照）を意味する。
本発明で、「下部Ｄ（側または方向）」とは、側部Ｓ方向の一方向を示し、図１から図３に示すように、例えば水平軸線ＨＬの長手Ｌ方向と略垂直に交差して下方向に延びる方向（図の破線参照）を意味する。
【００１８】
本発明の説明で、
「第一の状態」とは、図５に示すように、チューブＴに装着し、チューブＴの流路を遮断する前の状態を意味する。
「第二の状態」とは、図６、図７に示すように、チューブＴに装着し、チューブＴの流路を遮断した状態を意味する。
「移行状態」とは、「第一の状態」から「第二の状態」へ移行する途中の状態を意味する。
「移行開始状態」とは、「第一の状態」から「第二の状態」へ移行を開始する初期の状態を意味する。
「移行終了状態」とは、「第一の状態」から「第二の状態」へ移行を終了する間際の状態を意味する。
【００１９】
［クランプ（１、１´）］
本発明の第一実施例のクランプ１は、図１から図７に記載した。また第二実施例のクランプ１´は、図８から図９に記載した。
以下、図１〜図９を参照しながら説明する。
第二実施例のクランプ１´の説明は、符号の複雑化を回避するために、第一実施例のクランプ１と共通ないし、実質的に同じ部材は、同じ符号を使用した。
【００２０】
［第一実施例のクランプ１］          
本発明のクランプ１は、図１から図７に例示するように、基部２と可動部３を有する。
［（注）本発明の説明で、このように「任意の部材（部品）」を「有する」とは、すくなくともその「任意の部材（部品）」を「持つ」、「含む」等と実質的に同じ意味である。］
［基部２］
基部２は、図１、図３に示すように、下部Ｄ側に、いわゆる「略板状」に形成している。基部２は、その他に底部、基板、固定部という場合もある。
【００２１】
基部２は、基端ＰＥ側に基端連結部７ＰＥを形成している。
［（注）本発明の説明で、このように「任意の部材（部品）」の一端部に「他の部材（部品）」を「形成」しているとは、「接続」、「連結」、「延設」、「配置」等と実質的に同じ意味である。］
基端連結部７ＰＥは、下部Ｄ側から基端ＰＥ側、さらに上部Ｕ側へ向けて湾曲（または屈曲ともいう）している。
基端連結部７ＰＥは、第一基端開口ＰＥＯ１を形成している。
［（注）本発明の説明で、このように「任意の部材（部品）」に「開口」を「形成」しているとは、「任意の部材（部品）」の少なくとも任意の位置に、任意の形態の「開口」をすくなくとも一箇所形成していればよいことを意味する。］
さらに基端連結部７ＰＥの上部Ｕ側に、可動部３を形成している。
【００２２】
基部２は、末端ＰＥ側に末端連結部７ＤＥを形成している。
末端連結部７ＤＥは、下部Ｄ側から末端ＤＥ側、さらに上部Ｕ側へ向けて湾曲している。
末端連結部７ＤＥは、第一末端開口ＤＥＯ１を形成している。
末端連結部７ＤＥは、上部Ｕ側に基部側係合部９を形成している。
基部側係合部９は、基端ＰＥ側に、基部側係合補助部９Ｈを形成している。
基部側係合補助部９Ｈは、図１から図７の例示では、いわゆる「凸状」（または突状、突部ともいう）に形成している。基部側係合補助部９Ｈは、凹状に形成してもよい。
基部側係合補助部９Ｈ近傍の末端ＤＥ側の壁は、基部側係合壁９Ｗとしての役割を果たす。（機能する。）
【００２３】
基部２は、上部Ｕ側に基部側チューブ押圧部２．１を形成している。
基部側チューブ押圧部２．１は、上部Ｕ側に基部側チューブ押圧部突部２．１Ｔを形成している。
基部側チューブ押圧部２．１は、図４から７に例示するように、第１側部Ｓ１方向からみて、上部Ｕ側に向けて先細りとなるように、いわゆる「略不等辺三角形状」に形成している。
このようにして、基部側チューブ押圧部２．１は、上部Ｕ側に基部側チューブ押圧部突部２．１Ｔを形成している。
【００２４】
基部２は、図１に例示するように、チューブ保持部５を有する。
［（注）本発明の説明で、このように「任意の部材（部品）」に、「他の部材（部品）」を「有する」とは、「任意の部材（部品）」に、「他の部材（部品）」を「形成」、「接続」、「連結」、「延設」、「突設」、「配置」している等と実質的に同じ意味である。］
チューブ保持部５は、第１側部Ｓ１側に第１側壁５Ｓ１Ｗ、第２側部Ｓ２側に第２側壁５Ｓ２Ｗ、末端ＤＥ側から上部Ｕ側にわたって末端側壁５ＤＥＷを形成し、基端ＰＥ側から上部Ｕ側にわたって基端側壁５ＰＥＷをそれぞれ形成している。
さらに詳述すれば、末端側壁５ＤＥＷは、末端ＤＥ側から上部Ｕ側に亘って、第１側壁５Ｓ１Ｗと第２側壁５Ｓ２Ｗに繋げて形成している。
基端基端側壁５ＰＥＷは、基端ＰＥ側から上部Ｕ側に亘って、第１側壁５Ｓ１Ｗと第２側壁５Ｓ２Ｗに繋げて形成している。
【００２５】
チューブ保持部５は、第１側壁５Ｓ１Ｗ、第２側壁５Ｓ２Ｗ、末端側壁５ＤＥＷ及び基端側壁５ＰＥＷにより、チューブ保持空間ＳＰを形成している。
本発明のクランプ１は、以上のように第１側壁５Ｓ１Ｗと第２側壁５Ｓ２Ｗに加えて、末端側壁５ＤＥＷ及び基端側壁５ＰＥＷにより、さらにいえば、上部Ｕ側から末端ＤＥ側からに亘って、かつ上部Ｕ側から基端ＰＥ側からに亘って、チューブＴを保持することができる。
【００２６】
第１側壁５Ｓ１Ｗは、少なくとも一箇所以上に第１側壁開口５Ｓ１ＷＯを形成している。
例えば、図１では、いわゆる「略楕円状」（または略長円状ともいう）の第１側壁第１開口５Ｓ１ＷＯ１と第１側壁第２開口５Ｓ１ＷＯ２を二箇所形成している。
第１側壁第１開口５Ｓ１ＷＯ１は、下部Ｄから上部Ｕ方向にみて、基部側チューブ押圧部突部２．１Ｔを形成した位置と実質的に同じ高さの位置に形成している。
これによりチューブＴは、上部Ｕ側から可動部側チューブ押圧部突部６Ｔ、下部Ｄ側から基部側チューブ押圧部突部２．１Ｔによって押圧し、流路を閉塞する際に、チューブの第１側部Ｓ１側と第２側部Ｓ２側の壁面は、チューブ保持空間ＳＰから第１側壁第１開口５Ｓ１ＷＯ１と第２側壁第１開口５Ｓ２ＷＯ１方向へ広がることができる。
【００２７】
すなわちチューブＴは、第１側壁５Ｓ１Ｗと第１側壁５Ｓ１Ｗに接触して、第１側壁５Ｓ１Ｗと第１側壁５Ｓ１Ｗにより、第１側部Ｓ１方向と第２側部Ｓ２方向に広がるのを阻害されることなく確実に流路を閉塞することができる。
また第１側壁第１開口５Ｓ１ＷＯ１と第１側壁第２開口５Ｓ１ＷＯ２により、チューブ保持部５の外からチューブＴの流路の閉塞状態、チューブＴ内の流体（血液、薬液等）の流れを確認（視認）することができる。
第２側壁５Ｓ２Ｗにも第１側壁５Ｓ１Ｗと同様に、少なくとも一箇所以上に第２側壁開口５Ｓ２ＷＯを形成し、第２側壁第１開口５Ｓ２ＷＯ１と第２側壁第２開口５Ｓ２ＷＯ２を二箇所形成する。
チューブ保持部５は、上部Ｕ側に上部開口ＵＯを形成している。
上部開口ＵＯは、第１側壁５Ｓ１Ｗと第２側壁５Ｓ２Ｗの上部Ｕ側で、かつ末端側壁５ＤＥＷの基端ＰＥ側と、基端側壁５ＰＥＷの末端ＤＥ側との間に形成している。
末端側壁５ＤＥＷは、第二末端開口ＤＥＯ２を形成し、基端側壁５ＰＥＷは第二基端開口ＰＥＯ２を形成している。
【００２８】
［可動部３］
可動部３は、いわゆる「略板状」に形成している。可動部３は、天上部、可動板、封止部という場合もある。
可動部３は、末端ＤＥ側に、可動部側係合部８を形成している。
可動部側係合部８は、さらに一対のガイド部８Ｇを形成している。
ガイド部８Ｇは、第１側部Ｓ１側に第１側部側ガイド部８Ｓ１Ｇを形成し、第２側部Ｓ２側に第２側部側ガイド部８Ｓ２Ｇを形成している。
第１側部側ガイド部８Ｓ１Ｇと第２側部側ガイド部８Ｓ２Ｇは、図１に例示するように、基部側係合部９方向（下部Ｕ側で、末端ＤＥ側）に向けて形成している。
【００２９】
ガイド部８Ｇ（第１側部側ガイド部８Ｓ１Ｇと第２側部側ガイド部８Ｓ２Ｇ）は、いわゆる「略板状」に形成している。
第１側部側ガイド部８Ｓ１Ｇ（第２側部側ガイド部８Ｓ２Ｇ）は、第１側部Ｓ１（第２側部Ｓ２）方向から見れば、いわゆる「略三角状」に形成している。他方、末端ＤＥ方向から見ればいわゆる「略Ｌ字」に形成している。
すなわち、ガイド部８Ｇは、立体的に三次元的にみればいわゆる「クワガタの角状」に形成している。
【００３０】
可動部側係合部８は、第１側部側ガイド部８Ｓ１Ｇと第２側部側ガイド部８Ｓ２Ｇの間の上部Ｕ側の壁が、可動部側係合壁８Ｗとしての役割を果たす。（図６、図７参照）
可動部側係合部８は、可動部側係合壁８Ｗの近傍でかつ、基端ＰＥ側に可動部側係合補助部８Ｈを形成している。可動部側係合補助部８Ｈは、図１の例示ではいわゆる「凹状」（または溝状ともいう）に形成している。可動部側係合補助部８Ｈは、第１側部Ｓ１から第２側部Ｓ２にわたって、連続して形成している。
可動部側係合補助部８Ｈは、凸状に形成してもよい。
要するに、可動部側係合補助部８Ｈと、基部側係合補助部９Ｈは、お互いに係合できる
形状・構造であればよい。
【００３１】
可動部３は、下部Ｄ側に可動部側チューブ押圧部６を形成している。可動部側チューブ押圧部６は、図１、図４に例示するように、第１側部Ｓ１方向からみて、下部Ｄ側に向けて先細りとなるように、いわゆる「略Ｖ字状」に形成している。
さらにいえば二つの「略板状の部品」を、第１側部Ｓ１方向からみて、下部Ｄ側で閉じるように接合し、上部Ｕ側に広げるようにして、可動部３の下部Ｄに接着している。
このようにして、可動部側チューブ押圧部６は、下部Ｄ側に可動部側チューブ押圧部突部６Ｔを形成している。
【００３２】
［第二実施例のクランプ１´］
クランプ１´の第一実施例のクランプ１と異なる点は、以下のとおりである。
第一に、図８に示すように、可動部側係合補助部８Ｈ´は、「凸状」に形成している。
可動部側係合壁８Ｗ´は、可動部側係合補助部８Ｈ´よりも基端ＰＥ側に形成している。
言い換えれば、クランプ１´は、クランプ１の可動部側係合補助部８Ｈの位置に、可動部側係合壁８Ｗ´を形成している。クランプ１´は、クランプ１の可動部側係合壁８Ｗの位置に、可動部側係合補助部８Ｈ´を形成している。
【００３３】
基部側係合補助部９Ｈ´は、「凹状」に形成している。
基部側係合壁９Ｗ´は、基部側係合補助部９Ｈ´近傍の基端ＰＥ側に形成している。
言い換えれば、クランプ１´は、クランプ１の基部側係合壁９Ｗの位置に、基部側係合補助部９Ｈ´を形成し、クランプ１の基部側係合補助部９Ｈの位置に基部側係合壁９Ｗ´
を形成している。
第二に、クランプ１´は、図８に示すように、細長い第１側壁第２開口５Ｓ１ＷＯ２´を第１側壁５Ｓ１Ｗの長手方向に、末端ＤＥ近傍から基端ＰＥ近傍にわたって形成している。（図面上では見えないが、第２側部Ｓ２側も同じ。）
これにより、チューブ保持部５の外からチューブＴの流路の閉塞状態、チューブＴ内の流体（血液、薬液等）の流れが、クランプ１の第１側壁第２開口５Ｓ１ＷＯ２よりも確認（視認）しやすくなる。
【００３４】
クランプ１、１´は、図１、図４、図８に示すように、
第１側壁５Ｓ１Ｗと第２側壁５Ｓ２Ｗに、
第１第２側壁の基端側壁（以下「第１・２基端側壁」）５Ｓ１２ＷＰＥ、
第１第２側壁の基端側壁（以下「第１・２基端側壁」）５Ｓ１２ＷＰＥ´、
第１第２側壁の末端側壁第（以下「第１・２末端側壁」）５Ｓ１２ＷＤＥ、
第１第２側壁の末端側壁第（以下「第１・２末端側壁」）５Ｓ１２ＷＤＥ´を有し、
基端側壁５ＰＥＷに、
基端側壁の末端側壁（以下「基端側末端壁」）５ＰＥＷＤＥ、
基端側壁の末端側壁（以下「基端側末端壁」）５ＰＥＷＤＥ´を有し、
末端側壁５ＤＥＷに、
末端側壁の基端側壁（以下「末端側基端壁」）５ＤＥＷＰＥ
末端側壁の基端側壁（以下「末端側基端壁」）５ＤＥＷＰＥ´を有する。
クランプ１とクランプ１´の違いは、次の点である。
【００３５】
クランプ１´（以下「前者」）は、基端側末端壁５ＰＥＷＤＥ´と末端側基端壁５ＤＥＷＰＥ´は、クランプ１（以下「後者」）の基端側末端壁５ＰＥＷＤＥと末端側基端壁５ＤＥＷＰＥよりも長く形成し、傾斜は緩く形成している。
前者は、第１・２基端側壁５Ｓ１２ＷＰＥ´と第１・２末端側壁５Ｓ１２ＷＤＥ´の
それぞれの曲率（曲率半径）を、後者の第１・２基端側壁５Ｓ１２ＷＰＥと第１・２末端側壁５Ｓ１２ＷＤＥのそれぞれの曲率（曲率半径）よりも大きく形成している。
言い換えれば、前者は、第１・２基端側壁５Ｓ１２ＷＰＥ´と第１・２末端側壁５Ｓ１２ＷＤＥ´のそれぞれの曲率（曲率半径）を、基端連結部７ＰＥと末端連結部７ＤＥの曲率（曲率半径）のそれぞれの曲率（曲率半径）の大きさに近づけて形成している。  
このように形成することにより、前者は後者よりもさらに、チューブの押圧、流路の閉塞、これらの維持が良好となる。
【００３６】
「第一の状態」（クランプ１とチューブＴの組み立て）
〈１〉：チューブＴの基端ＰＥを、クランプ１の第一末端開口ＰＥＯ１、第二末端開口ＤＥＯ２を経て、チューブ保持空間ＳＰに挿入する。
〈２〉：さらにチューブＴの基端ＰＥを、クランプ１のチューブ保持空間ＳＰから、第二基端開口ＰＥＯ２を経て、第一基端開口ＰＥＯ１より、クランプ１の基端ＰＥ側より外に引き出して、クランプ１に装着する。これにより図５のように「第一の状態」となる。
［（注）本発明で、チューブＴをクランプ１に「装着」するとは、チューブＴをクランプ１の前記第一末端開口ＤＥＯ１、第二末端開口ＤＥＯ２、チューブ保持空間ＳＰ、第二基端開口ＰＥＯ２、第一基端開口ＰＥＯ１等の符号で示した開口に「通す」、「挿入」、「挿着」、「差し入れる」等して、クランプ付き医療用具を組み立てることを意味する。］
【００３７】
「移行開始状態」
〈１〉：図５に示すように、「第一の状態」から、可動部３を基部２方向に押し下げる。
〈２〉：可動部側係合部８（ガイド部８Ｇ、可動部側係合補助部８Ｈ、可動部側係合壁８Ｗ）は、基部側係合部９（基部側係合補助部９Ｈ、基部側係合壁９Ｗ）に向けて移動を開始する。
〈３〉：（可動部側チューブ押圧部６の）可動部側チューブ押圧部突部６Ｔも、チューブ保持部５の上部開口ＵＯへ向けて移動を開始する。上部開口ＵＯを経て、チューブ保持空間ＳＰ内に侵入し、上部Ｕ側から、チューブＴの押圧を開始する。
【００３８】
「移行終了状態」
〈１〉：ガイド部８Ｇ（第１側部側ガイド部８Ｓ１Ｇ、第２側部側ガイド部８Ｓ２Ｇ）は、基部側係合部９の第１側部Ｓ１側と第２側部Ｓ２Ｇ側の両壁面に接触する。そして当該両壁面を第１側部Ｓ１側と第２側部Ｓ２Ｇ側から動かないように固定する。
〈２〉：可動部側係合壁８Ｗは基部側係合壁９Ｗと接触し、上部Ｕ側から基部側係合壁９Ｗを抑えつける。
〈３〉：可動部側係合補助部８Ｈと基部側係合補助部９Ｈが係合する。ガイド部８Ｇと基部側係合部９の固定、並びに可動部側係合壁８Ｗと基部側係合壁９Ｗの抑えつけが、解除されないようにする。
【００３９】
〈４〉：可動部側チューブ押圧部突部６Ｔは、チューブ保持空間ＳＰ内に深く侵入し、上部Ｕ側から、チューブＴを押圧する。チューブＴは、下部Ｄ側、すなわち基部側チューブ押圧部２．１Ｔ側からも押圧される。
チューブＴは、チューブ保持部５の（第１側壁５Ｓ１Ｗと第２側壁５Ｓ２Ｗに加えて）末端側壁５ＤＥＷ及び基端側壁５ＰＥＷにより保持される。さらにいえば、上部Ｕ側から末端ＤＥ側からに亘って、かつ上部Ｕ側から基端ＰＥ側からに亘って保持される。
このためチューブＴを可動部側チューブ押圧部突部６Ｔと押圧部２．１の突部２．１より押圧する際に、チューブ保持部５外の末端ＤＥ側と基端ＰＥ側で、上下に動く（ガタツク）ことがなく、操作を安定して行うことができる。
【００４０】
「第二の状態」
〈１〉：チューブは、上部Ｕ側から可動部側チューブ押圧部突部６Ｔ、下部Ｄ側から基部側チューブ押圧部突部２．１Ｔから押圧され、チューブＴの流路は完全に閉塞する。
〈２〉：可動部側係合補助部８Ｈと基部側係合補助部９Ｈの係合により、ガイド部８Ｇと基部側係合部９の固定、並びに可動部側係合壁８Ｗと基部側係合壁９Ｗの抑えつけが維持され、チューブＴの流路は、途中で閉塞が解除されることはない。
【００４１】
本発明のクランプ（１、１´）は、同一材料で一体成形により形成することが好ましい。
例えば、射出成形等が可能な熱可塑性合成樹脂で形成することが好ましく、例えばＰＥ（ポリエチレン）、ＰＰ（ポリプロピレン）、ＰＢ（ポリブチレン）、ＰＳ（ポリスチレン）、ＰＶＣ（ポリ塩化ビニル）、ＰＭＭＡ（ポリメチルメタクリレート）、ＰＭＡ（ポリメチルアクリレート）、ＰＣ（ポリカーボネート）、ＰＡｍ（ポリアミド）等があげられるが、これに限定されるものではない。
【００４２】
図８、図９に例示したクランプ１´は、体液循環回路に使用する場合、ユーザー（使用者、例えば医師、看護士等）によるクランプ（１、１´）の使用目的、手技等にもよるが、概ね次の二種類のユーザーに大別される。
（ユーザー１）「第二の状態」（例えばクランプ１の例によれば、図６、図７に示すように、クランプ１をチューブＴに装着し、チューブＴの流路を遮断した状態を意味する。）を維持でき、クランプがチューブＴから容易にはずれない、いわゆる「閉塞感を有する」クランプを所望するユーザー。
（ユーザー２）前記閉塞感及びいわゆる「開放感」（「第二の状態」の後でも、クランプをチューブＴからはずすことのできる性能）の両方を所望するユーザー。
【００４３】
本発明の図８、図９のクランプ１´の場合、前述した形態に加えて、可動部係合補助部８Ｈ´を凸状に形成し、基部側係合補助部９Ｈ´を凹状に形成して、図１０に例示するように、相対的に下部Ｄ側の可動部係合補助部８Ｈ´（凸状）を、相対的に上部Ｕ側の基部側係合補助部９Ｈ´（凹状）に係合するように形成しているので、これらの二種類のユーザーの要望に応えることができる。
すなわち、可動部係合補助部８Ｈ´（凸状）の大きさと、基部側係合補助部９Ｈ´（凹状）の大きさとのコンビネーションにより、目的を達成することができる。
【００４４】
図１０に例示するように、可動部係合補助部８Ｈ´（凸状）の「大きさ」とは、高さ（８ｈｔ）と幅（８ｗｔ）を意味する。基部側係合補助部９Ｈ´（凹状）の「大きさ」とは、深さ（９ｄｐｔ）と幅（９ｗｔ）とする。
（ユーザー１）及び（ユーザー２）の要望を共通して充足する（第一の条件）として、基部側係合補助部９Ｈ´（凹状）の幅（９ｗｔ）を１００とすると、可動部係合補助部８Ｈ´（凸状）の幅（８ｗｔ）は、７０〜１００未満、好ましくは７５〜９５、より好ましくは８０〜９０に形成する。
幅（８ｗｔ）があまり大きすぎる（１００を超える）と、可動部係合補助部８Ｈ´（凸状）基部側係合補助部９Ｈ´（凹状）に係合しずらくなり、幅（８ｗｔ）があまり小さすぎる（７０未満）と係合が弱くなる。
あくまでも参考であるが、実際の寸法で表示すると、幅（９ｗｔ）が１．０ｍｍの場合、幅（８ｗｔ）は０．７０〜０．９９ｍｍ、好ましくは０．７５〜０．９５ｍｍ、より好ましくは０．８０〜０．９０ｍｍに形成する。
【００４５】
（ユーザー１）の要望を充足するには、前記（第一の条件）に加えて、（第二の条件）として、基部側係合補助部９Ｈ´（凹状）の深さ（９ｄｐｔ）を１００とすると、可動部係合補助部８Ｈ´（凸状）の高さ（８ｈｔ）は、７０〜１００未満、好ましくは８０〜９０に形成する。
高さ（８ｈｔ）があまり大きすぎる（１００を超える）と、可動部係合補助部８Ｈ´（凸状）が基部側係合補助部９Ｈ´（凹状）に係合しずらくなり、高さ（８ｈｔ）があまり小さすぎる（７０未満）と係合が弱くなる。
あくまでも参考であるが、深さ（９ｄｐｔ）が０．６ｍｍとすると、高さ（８ｈｔ）は、０．５ｍｍに形成する。
【００４６】
（ユーザー２）の要望を充足するには、前記（第一の条件）に加えて、（第二の条件）として、基部側係合補助部９Ｈ´（凹状）の深さ（９ｄｐｔ）を１００とすると、可動部係合補助部８Ｈ´（凸状）高さ（８ｈｔ）は、３０〜５０、好ましくは３５〜４５、より好ましくは４０に形成する。
高さ（８ｈｔ）があまり大きすぎる（５０を超える）と、可動部係合補助部８Ｈ´（凸状）基部側係合補助部９Ｈ´（凹状）の係合が解除しずらくなり、高さ（８ｈｔ）があまり小さすぎる（３０未満）と係合が弱くなりすぎる。
あくまでも参考であるが、深さ（９ｄｐｔ）が０．６ｍｍとすると、（２）の場合、高さ（８ｈｔ）は、０．２〜０．３ｍｍに形成する。
【００４７】
最後にまとめると、
（ユーザー１）の要望を充足するには、
（第一の条件）：基部側係合補助部（凹状）９Ｈ´の幅（９ｗｔ）：１００に対して、
可動部係合補助部（凸状）８Ｈ´の幅（８ｗｔ）：７０〜１００未満、かつ
（第二の条件）：基部側係合補助部（凹状）９Ｈ´の深さ（９ｄｐｔ）：１００に対して、
可動部係合補助部（凸状）８Ｈ´の高さ（８ｈｔ）：７０〜１００未満に形成する。
（ユーザー２）の要望を充足するには、
（第一の条件）：基部側係合補助部（凹状）９Ｈ´の幅（９ｗｔ）：１００に対して、
可動部係合補助部（凸状）８Ｈ´の幅（８ｗｔ）：７０〜１００未満、かつ
（第二の条件）：基部側係合補助部（凹状）９Ｈ´の深さ（９ｄｐｔ）：１００に対して、
可動部係合補助部（凸状）８Ｈ´の高さ（８ｈｔ）：３０〜５０に形成する。
【符号の説明】
【００４８】
１  クランプ
１´     クランプ
２       基部
２．１    基部側チューブ押圧部
２．１Ｔ  基部側チューブ押圧部突部
３  可動部
５   チューブ保持部
５Ｓ１Ｗ  第１側壁
５Ｓ２Ｗ  第２側壁
５Ｓ１２ＷＰＥ  第１第２側壁の基端側壁（第１・２基端側壁）
５Ｓ１２ＷＰＥ´  第１第２側壁の基端側壁（第１・２基端側壁）
５Ｓ１２ＷＤＥ  第１第２側壁の末端側壁第（第１・２末端側壁）
５Ｓ１２ＷＤＥ´  第１第２側壁の末端側壁第（第１・２末端側壁）
５ＰＥＷ  基端側壁
５ＰＥＷＤＥ  基端側壁の末端側壁（基端側末端壁）
５ＰＥＷＤＥ´  基端側壁の末端側壁（基端側末端壁）
５ＤＥＷ  末端側壁
５ＤＥＷＰＥ  末端側壁の基端側壁（末端側基端壁）
５ＤＥＷＰＥ´  末端側壁の基端側壁（末端側基端壁）
５Ｓ１ＷＯ  第１側壁開口
５Ｓ１ＷＯ１  第１側壁第１開口
５Ｓ１ＷＯ２  第１側壁第２開口
５Ｓ１ＷＯ２´第１側壁第２開口
５Ｓ２ＷＯ  第２側壁開口
５Ｓ２ＷＯ１  第２側壁第１開口
５Ｓ２ＷＯ２  第２側壁第２開口
ＵＯ      上部開口
ＳＰ      チューブ保持空間
ＤＥＯ１  第一末端開口
ＤＥＯ２  第二末端開口
ＰＥＯ１  第一基端開口
ＰＥＯ２  第二基端開口
６  可動部側チューブ押圧部
６Ｔ  可動部側チューブ押圧部突部
７ＰＥ  基端連結部
７ＤＥ  末端連結部
８    可動部側係合部
８Ｇ      ガイド部
８Ｓ１Ｇ  第１側部側ガイド部
８Ｓ２Ｇ  第２側部側ガイド部
８Ｈ  可動部側係合補助部（凹状）
８Ｈ´可動部側係合補助部（凸状）
８Ｗ  可動部側係合壁
８Ｗ´可動部側係合壁
９    基部側係合部
９Ｈ  基部側係合補助部（凸状）
９Ｈ´  基部側係合補助部（凹状）
９Ｗ  基部側係合壁
９Ｗ´  基部側係合壁
Ｔ    チューブ
Ｌ    長手方向
ＨＬ  水平軸線
ＶＬ  垂直軸線
ＰＥ  基端
ＤＥ  末端
Ｓ    側部方向
Ｓ１  第１側部
Ｓ２  第２側部
Ｕ  上部
Ｄ  下部
【図１】
0005989554.tif 000002
【図２】
0005989554.tif 000003
【図３】
0005989554.tif 000004
【図４】
0005989554.tif 000005
【図５】
0005989554.tif 000006
【図６】
0005989554.tif 000007
【図７】
0005989554.tif 000008
【図８】
0005989554.tif 000009
【図９】
0005989554.tif 000010
【図１０】
0005989554.tif 000011